(57)【要約】【課題】  壁等が存在しない、独立したキッチンキャビネットにおいて、載置台が落下しないようにするキッチンキャビネットを提供する。【解決手段】  キッチンキャビネットにおいて、キャビネット本体Ａの天板８の略端部に載置される載置台１と、前記載置台１を係止するためにキャビネット本体Ａ側面に設けられる係止具１１と、を備え、前記係止具１１を動かすことにより、載置台１が天板８上に略固定される状態と、同載置台１が上下逆さの状態まで回動した状態と、に変えることができ、上下逆さ状態では上面Ｂまたは前面Ｃが開口した状態である。【選択図】図１
2005046285.tif 000002
【特許請求の範囲】
【請求項１】
キャビネット本体の天板の略端部に載置される載置台と、前記載置台を係止するためにキャビネット本体側面に設けられる係止具と、を備え、前記係止具を動かすことにより、載置台が天板上に略固定される状態と、同載置台が上下逆さの状態まで回動した状態と、に変えることができ、上下逆さ状態では上面または前面が開口した状態であることを特徴とするキッチンキャビネット。
【請求項２】
前記載置台の脚は天板の側辺に略平行な第一脚と、平行でない第二脚と、を備え、前記係止具は、前記載置台が回動自在の状態では、第一脚に係止され、天板上に略固定される状態では、第二脚に係止されており、第一脚と第二脚との間で、変更可能であることを特徴とする請求項1記載のキッチンキャビネット。
【発明の詳細な説明】
【技術分野】
【０００１】
本発明は、キッチンキャビネットに関し、望ましくは、キャビネットの側面には壁等が存在しない、独立したキッチンキャビネットに関するものである。
【背景技術】
【０００２】
従来、コンロ１０３の載置する段差１０２が天板の少なくとも一方に設けられているようなキッチンキャビネット１０１が存しており、この段差１０２部分にコンロ１０３が載置され、コンロ１０３の横に物を載置するために、コンロ１０３の高さと略同じ高さの載置台１０４が設けられている。このキッチンキャビネット１０１の後方及び側方には壁面１０５ａ、１０５ｂが設けられている。このようなキッチンキャビネットの例が、非特許文献１に記載されている。この側方の壁面１０５ａにより、載置台１０４はキッチンキャビネット１０１から落下しない。また、コンロ１０３にて調理する際、この載置台１０４に調味料等を載せながら行うことが出来る。
【０００３】
ところで、キッチンキャビネット１０１の側方に壁が設けられていない場合、この載置台１０４になにも工夫がされていないと、調理している最中に手等が載置台１０４に当たった場合、載置台１０４が落下してしまう。
【非特許文献１】「ＮＡｉＳ  ＫＩＴＣＨＥＮ  ＡＰ」松下電工株式会社  ２００３年５月カタログ
【発明の開示】
【発明が解決しようとする課題】
【０００４】
本願発明は、上記従背景技術に鑑みて発明されたものであり、その課題は、壁等が存在しない、独立したキッチンキャビネットにおいて、載置台が落下しないようにするキッチンキャビネットを提供することである。
【課題を解決するための手段】
【０００５】
上記課題を解決するために、本願発明は、キッチンキャビネットにおいて、キャビネット本体Ａの天板８の略端部に載置される載置台１と、前記載置台１を係止するためにキャビネット本体Ａ側面に設けられる係止具１１と、を備え、前記係止具１１を動かすことにより、載置台１が天板８上に略固定される状態と、同載置台１が上下逆さの状態まで回動した状態と、に変えることができ、上下逆さ状態では上面Ｂまたは前面Ｃが開口した状態であることを特徴とする。
【０００６】
また、本願発明は、キッチンキャビネットにおいて、前記載置台の脚は天板８の側辺に略平行な第一脚６と、平行でない第二脚５と、を備え、前記係止具１１は、前記載置台１が回動自在の状態では、第一脚６に係止され、天板８上に略固定される状態では、第二脚５に係止されており、第一脚６と第二脚５との間で、変更可能であることを特徴とする。
【発明の効果】
【０００７】
本願発明のキッチンキャビネットにあっては、キッチンキャビネットに壁が隣接されていなくとも、前記載置台が、係止具によってコンロのそばに略固定される状態と、係止具を軸に上下逆さ状態で保持される状態に変更することが出来る。従って、載置台が、キッチンキャビネットより落下することがない。また、上下逆さ状態の場合、その状態において、上面または前面が開口した状態であるので、その載置台を簡易的な入れ物として取り扱うことが出来る。
【０００８】
また本願発明のキッチンキャビネットにあっては、係止具が、キャビネット本体天板側辺に略平行な第一脚と、平行でない第二脚との間で変更可能であるため、一つの係止具によって、両者の状態を変更することが可能である。従って、使用者の所望によって、この載置台の使い方を変更できる。
【発明を実施するための最良の形態】
【０００９】
図１〜４は、本願の請求項１〜２に対応した一実施形態であるキッチンキャビネットを示している。この実施形態の載置台１は、図１に示す如く、線材にて構成されており、上面は線材がキャビネット本体Ａの長手方向に対し平行に走っている横線材２と、同キャビネット本体Ａの長手方向に対し垂直に走っている縦線材３と、により構成されている。そしてこの上面から、台として構成できるように、脚４が数箇所から下方に設けられている。そしてその脚４同士を夫々繋ぐ脚用横線材５と脚用縦線材６が設けられている。
【００１０】
この載置台は、脚４と脚４との間には、他の線材や仕切り等が設けられていない。従って、この載置台を上下逆さにすると、上方Ｂが開放された状態になっている。また前方Ｃも開放ざれた状態になっている。
【００１１】
この載置台はキャビネット本体Ａの端部に設けられる。（図１）そしてキャビネット本体Ａの天板８の上に立設されている時は、コンロ７に隣接されている。このコンロ７に隣接されている状態では、コンロ７の高さと、載置台１の高さは略同じ高さである。
【００１２】
キャビネット本体Ａの天板８の端部の端面９には、載置台１とキャビネット本体Ａとを連結する係止具１１と係止具１３が設けられている。
【００１３】
係止具Ａの形状は、略Ｌ字型の形状で、上面１１ａの形状は、脚用横線材５に密接して跨ぐような、上方に凸形状の凹部を形成している。また略Ｌ字上の付け根の部分１１ｂは、脚用縦線材６に密接する形状をしている（図３）。そして、端面９との接続部分に関しては、奥行き方向に長穴１２が設けられており、この長穴１２を通してビス止めされている。
【００１４】
係止具１３の形状は、脚用縦線材６のみに密接するような、凹部形状を成している（図４）。そして端面９との接続部分に関しては、普通の丸穴にてビス止めされている。
【００１５】
係止具１１の上面１１ａが、脚用横線材５に密接して跨いでいる時は、この載置台１は、キャビネット本体Ａの天板８上に固定され、動かすことが出来ない。
【００１６】
一方、係止具１１のビスを緩め、長穴１２を奥行き方向にスライドさせることにより、係止具１１を脚用横線材５から離すと、図２に示すように、載置台１は、係止具１１、１３を中心に回転し、上下逆さ状態となり、キャビネット本体Ａの側方にぶら下がる形状になる。
【００１７】
このキャビネット本体Ａの側方にぶら下がる形状になると、この上下逆さ状態になった載置台１は、この状態で、上方Ｂ及び前方Ｃが開放した器状態となる。従って、この状態において、ラップ類や、小物類を、この上下逆さ状態となった載置台１に置くことが出来る。
【００１８】
なお、この係止具１１、１３は金属製のものに限られず、成型品であっても良い。
【図面の簡単な説明】
【００１９】
【図１】本願発明の一実施形態である載置台を使用したキッチンキャビネットを示す斜視図である。
【図２】同載置台の係止具を中心にキッチンキャビネットの端部で回転させた状態を示す斜視図である。
【図３】同載置台に使用する係止具１１を示す（ａ）は正面斜視図、（ｂ）は側面図である。
【図４】同載置台に使用する係止具１３を示す正面斜視図である。
【図５】同載置台をキッチンキャビネットの上に載置した状態を示す斜視図である。
【図６】従来例であるキッチンキャビネットを示す斜視図である。
【符号の説明】
【００２０】
Ａ  キャビネット本体
１  載置台
５  第二脚
６  第一脚
８  天板
１１  係止具
Ｂ  上面
Ｃ  前面
【図１】
2005046285.tif 000003
【図２】
2005046285.tif 000004
【図３】
2005046285.tif 000005
【図４】
2005046285.tif 000006
【図５】
2005046285.tif 000007
【図６】
2005046285.tif 000008